(57)【要約】【課題】構造が簡単で、使用に便利で、病人を移動する時の安定性が良好な臨床病人転移車を提供する。【解決手段】 臨床病人転移車であり、車ボディを含み、それが若干数の底部に多方向ホイールを設ける支持脚を含み、各支持脚の上端及び車ボディが接続し、前記支持脚上に昇降装置を設け、車ボディの下部にグラブ状の観音開きする2つの曲面板を設け、2つの曲面板が閉鎖した後に人体を収容でき、車ボディ及び前記の2つの曲面板の間に開閉装置を設け、開閉装置がそれぞれ車ボディ、2つの曲面板と接続する。本発明の構造は、簡単で、臨床病人の転移に用い、使用が便利であるという利点を有し、病人を移動する時の安定性が良好であり、病人の苦痛の増加を回避する。【選択図】図１【その他】本願の出願人は、既に、国際出願時の「広州市海帆医庁機械有限公司」から「曽昭湘」に譲渡されており（ＩＤ３０６）、「曽昭湘」に相違ありません。
2012514507.tif 000002
【特許請求の範囲】
【請求項１】
車ボディ（4）を含み、それが若干数の底部に多方向ホイール（1）を設ける支持脚を含み、各支持脚（2）の上端及び車ボディ（4）が接続し、前記支持脚（2）上に昇降装置（3）を設け、車ボディ（4）の下部にグラブ状の観音開きする2つの曲面板を設け、2つの曲面板（6）が閉鎖した後に人体を収容でき、車ボディ（4）及び前記2つの曲面板（6）の間に開閉装置（7）を設け、開閉装置（7）がそれぞれ車ボディ（4）、2つの曲面板（6）と接続する臨床病人転移車。
【請求項２】
前記車ボディ（4）が長方体状であり、支持脚（2）が4個であることを特徴とする請求項1に記載の臨床病人転移車。
【請求項３】
前記昇降装置（3）は、支持脚（2）株に設置され、昇降装置（3）が電動昇降機であり、支持脚（2）上に更に昇降装置（3）に電力を供給するバッテリ（5）を設置することを特徴とする請求項1又は2に記載の臨床病人転移車。
【請求項４】
前記開閉装置（7）は、取り付けケース（7a）、2つのエアスプリング（7b）、垂直ロッド（7c）及び2つの傾斜ロッド（7d）から構成される。取り付けケース（7a）及び車ボディ（4）は、固定接続され、2つの曲面板（6）の上部は、それぞれ取り付けケース（7a）側壁と嵌合し、2つのエアスプリング（7b）の一端は、取り付けケース（7a）内壁と嵌合し、2つのエアスプリング（7b）の他端は、何れも垂直ロッド（7c）の上端部に嵌合し、垂直ロッド（7c）の下端部は、2つの傾斜ロッド（7d）の一端部と嵌合し、2つの傾斜ロッド（7d）の他端部は、それぞれ相応する2つの曲面板（6）上の固定されるソケット（6a）と嵌合することを特徴とする請求項1又は2に記載の臨床病人転移車。
【請求項５】
前記開閉装置（7）は、取り付けケース（7a）、電動プッシュロッド（7e）及び2つの傾斜ロッド（7d）から構成される。取り付けケース（7a）及び車ボディ（4）は、固定接続し、2つの曲面板（6）の上部は、それぞれ取り付けケース（7a）の側壁と嵌合し、電動プッシュロッド（7e）の上端部に取り付けケース（7a）の内上部に固定され、電動プッシュロッド（7e）の下端は、2つの傾斜接続ロッド（7d）の一端部と嵌合し、2つの傾斜ロッド（7d）の他端部は、それぞれ相応する2つの曲面板（6）に固定されるソケット（6a）と嵌合することを特徴とする請求項1又は2に記載の臨床病人転移車。
【請求項６】
前記2つの曲面板（6）の相対する下内側辺が下向きに傾斜することを特徴とする請求項1又は2に記載の臨床病人転移車。
【発明の詳細な説明】
【技術分野】
【０００１】
本発明は、医療用品に関し、更に具体的には、ヘルスケアスタッフの病人搬送に便利な臨床病人転移車に関する。
【背景技術】
【０００２】
現在、病院のヘルスケアスタッフが臨床病人に介護、検査又は治療を行う時、しばしば病人を搬送する必要がある。従来の方法は、多くのヘルスケアスタッフ又は病人の家族が共に、手で臨床病人を寝がえりさせ、起こし、その後、ベッド交換又はカート上に転移させる。この種の搬送方法は、ヘルスケアスタッフ及び病人にとって、何れも非常に困難な状況であり、特に、足の骨、脊椎骨の骨折、又は手術後の臨床の病人に対し、一方で、傷口が治癒していない病人を牽引し、病人に大きな苦痛をもたらし、更には、再度損傷をもたらす可能性もあり、また一方で、ヘルススタッフの労働負荷が高く、多くの労力を要する。
【０００３】
この種の状況を変える為、当業者は、多くの研究を行い、同時に多くの特許出願を提出している。例えば、中国特許ZL99240571．8（公開番号CN2395714Y，公開日：2000年9月13日）が公開する「平行移動式病人移動装置」の技術試案は、柔軟性回転パッド内にローラを設置し、スプロケット機構を利用し、ローラを回転させ、柔軟性パッドを移動するものである。使用時には、病人を寝がえりさせる必要があり、その後、柔軟性パッドを病人の体の下に置き、病人を柔軟性パッド上に再度横たわらせ、ローラを回転させ、病人の平行移動を実現する。
【０００４】
病人の平行移動を実現することができるが、病人を寝がえりさせる必要があり、平行移動時に病人の安定性が比較的悪くなり、使用に不便であるという不足が存在する。中国特許ZL01 277455．3（公開番号CN2533834Y，公開日：2003年 2月5日）が公開する「病人搬送機」の技術試案は、通常の移動ベッド近辺に柱及び持ち上げ機構を設置し、開閉可能な鉄環を組み合わせることにより、病人を挟持した後、持ち上げ移動を行い、病人の転移を実現する。該特許は、主動で持ち上げ及び移動を行い、多くの人の操作を必要とし、更に、鉄環を組み合わせる構造及び病人の背部の接触面が小さく、病人に苦痛を与えやすく、同様に使用が不便であるという不足が存在する。
【０００５】
中国特許ZL200420064433．5（公開番号CN2730354Y，公開日：2005年 10 月5日）が公開する「リフト式手術搬送車」の技術試案は、2セットの持ち上げ機構を介し、持ち上げ機構上にロール及びストラットを設置し、ロール及びストラットを利用し、シーツを巻き付け、しっかりと固定し、担架状態を形成し、手術後の病人を移動させる。手術がおわったばかりの病人を手術ベッド上から病床上に転送する際、シーツを利用し直接転送するが、衛生上の問題が存在し、使用範囲も制限される。
例えば、中国特許ZL200620076561．0（公開番号CN200948204Y，公開日：2007年9月19日）が公開する「ベッド交換担架車」の技術試案は、昇降装置及び多方向ホイールを有するベッド体を利用し、ベッド体上に平行滑動可能なベッド板を設置し、病人が車上からベッド上又はベッド上から車上に移動範囲が限定されている。
【０００６】
該技術試案は、同様に病人を寝がえりさせる必要があり、同様に使用が不便であるという問題が存在する。中国特許出願200610052776．3（公開番号CN1903154A，公開日：2007年1月31日）が公開する「医療用病人転移車」の技術試案は、昇降機構及び多方向ホイールを有する車体上において、ベッド体上に二層の移動パネル及び移動布を設置することによって、移動布及び移動パネルの間の反対方向移動を利用し、ベッド板が病人の身体下に進入する際の摩擦力を減少させ、移動板の病人の身体下への進入を便利にし病人の転移を実現する。
しかし、該技術試案は、運動部材が多く、構造が複雑であるという問題が存在し、全体の設備の製造コストも高く、応用の拡大に不利である。上記のように、従来の病人を搬送する設備は、使用が不便等の問題が存在する。
【先行技術文献】
【特許文献】
【０００７】
【特許文献１】中国特許公開番号CN2395714Y
【特許文献２】中国特許公開番号CN2533834Y
【特許文献３】中国特許公開番号CN2730354Y
【特許文献４】中国特許公開番号CN200948204Y
【特許文献５】中国特許公開番号CN1903154A
【発明の概要】
【発明が解決しようとする課題】
【０００８】
本発明が解決しようとする課題は、構造が簡単で、使用が便利で、病人を移動する時の安定性が良好な臨床病人転移車を提供することである。
【課題を解決するための手段】
【０００９】
上記の技術問題を解決する為、本発明は、以下の技術試案を採用する：
臨床病人転移車であり、車ボディを含み、それが若干数の底部に多方向ホイールを設ける支持脚を含み、各支持脚の上端及び車ボディが接続し、前記支持脚上に昇降装置を設け、車ボディの下部にグラブ状の観音開きする2つの曲面板を設け、2つの曲面板が閉鎖することで人体を収容でき、車ボディ及び前記の2つの曲面板の間に開閉装置を設け、開閉装置がそれぞれ車ボディ、2つの曲面板と接続する。
【００１０】
本技術試案において、前記車ボディは、長方体状であり、支持脚は、4つある。
【００１１】
本技術試案において、前記昇降装置は、支持脚下部に設置され、昇降装置が電動昇降機であり、支持脚上に更に昇降装置に電力を供給するバッテリを設置する。
【００１２】
本技術試案において、前記開閉装置は、取り付けケース、2つのエアスプリング、垂直ロッド及び2つの傾斜ロッドから構成される。取り付けケース及び車ボディは、固定接続され、2つの曲面板の上部は、それぞれ取り付けケース側壁と嵌合し、2つのエアスプリングの一端は、取り付けケース内壁と嵌合し、2つのエアスプリングの他端は、何れも垂直ロッドの上端部に嵌合し、垂直ロッドの下端部は、2つの傾斜ロッドの一端部と嵌合し、2つの傾斜ロッドの他端部は、それぞれ相応する2つの曲面板上に固定されるソケットと嵌合する。この種の構造の使用時には、ヘルスケアスタッフが手で2つの曲面板を開閉する必要がある。
【００１３】
本技術試案において、前記開閉装置は、取り付けケース、電動プッシュロッド及び2つの傾斜ロッドから構成される。取り付けケース及び車ボディは、固定接続し、2つの曲面板の上部は、それぞれ取り付けケースの側壁と嵌合し、電動プッシュロッドの上端部に取り付けケースの内上部に固定され、電動プッシュロッドの下端は、2つの傾斜接続ロッドの一端部と嵌合し、2つの傾斜ロッドの他端部は、それぞれ相応する2つの曲面板に固定されるソケットと嵌合する。この種の構造は、電動プッシュロッドを直接利用し、2つの曲面板を開閉することができ、使用により便利である。
【００１４】
本技術試案において、前記2つの曲面板が相対する下内側辺は、下向きに傾斜する。このように、2つの曲面板は、更に病人の背部下方への挿入に便利に作用させることができる。
【発明の効果】
【００１５】
本発明は、上記構造を採用した後、2つの曲面板を臨床病人の背部下方に直接挿入することができ、閉鎖後に臨床病人を垂直に持ち上げ、移動することができ、構造が簡単であり、使用に便利である利点を有し、病人の移動時に安定性が良好であり、病人の苦痛を増加することを回避し、病院に提供することができる臨床病人の転移装置である。
【図面の簡単な説明】
【００１６】
【図１】本発明の実施方式の立体構造説明図である。
【図２】本発明の2つの曲面パネルの閉鎖時の構造説明図である。
【図３】本発明の2つの曲面パネルの開放時の構造説明図である。
【図４】本発明の開閉装置の具体的実施例の閉鎖時の構造説明図である。
【図５】本発明の開閉装置の具体的実施例の開放時の構造説明図である。
【図６】本発明の開閉装置の他の具体的実施例の閉鎖時の構造説明図である。
【図７】本発明の開閉装置の他の具体的実施例の開放時の構造説明図である。
【発明を実施するための形態】
【００１７】
以下に1つの実施方式により本発明を更に詳細に説明するが、説明に用いるだけであり、本発明の保護範囲をこれに制限するものではない。
【００１８】
図1、図2、図3を参照して説明する。
臨床病人転移車であり、長方体状の車ボディ4と、4つの底部多方向ホイール1を設置する支持脚2とを含み、そのうち、各支持脚2の上端は車ボディ4と接続する。支持脚2の下部に昇降装置3を設け、昇降装置3は、電動昇降機であり、支持脚2上に昇降装置3に電力を供給するバッテリ5を更に設置する。そのうち、昇降装置3を利用し、支持脚2を上昇させることができ、このように、病人を垂直に持ち上げた後、病床上に移動することができる。
車ボディ4の下部にグラブ状の観音開きする2つの曲面板6を設け、2つの曲面板6を閉鎖後、人体を収容でき、2つの曲面板6の相対する下内側辺は、下向きに傾斜し、病人の背部下方への挿入が更に便利であり、病人に接触しない。車ボディ4及び2つの曲面板6の間に2組の開閉装置7を設け、開閉装置7は、それぞれ車ボディ4の2つの曲面板6と接続する。そのうち、開閉装置7は、2つの曲面板6の開閉に用いる。
【００１９】
図4、図5を参照して説明する。
開閉装置7は、取り付けケース7a、2つのエアスプリング7b、垂直ロッド7c及び2つの傾斜ロッド7dから構成されることができる。取り付けケース7a及び車ボディ4は、固定接続され、2つの曲面板6の上部は、それぞれ取り付けケース7a側壁と嵌合する。2つのエアスプリング7bの一端は、何れも取り付けケース7aと嵌合し、2つのエアスプリング7bの他端は、何れも垂直ロッド7cの上端部と嵌合し、垂直ロッド7cの下端部及び2つの傾斜ロッド7dの一端部と嵌合し、2つの傾斜ロッド7dの他端部は、それぞれ相応する2つの曲面板6上に固定されるソケット6aと嵌合する。使用時、ヘルスケアスタッフは、2つのエアスプリング7bを利用し、2つの曲面板6の開閉状態に対し制御を行うことができるが、使用時は、人力の補助を必要とする。
【００２０】
図6、図7を参照して説明する。
開閉装置7は、取り付けケース7a、電動プッシュロッド7e及び2つの傾斜ロッド7dから構成される。取り付けケース7a及び車ボディ4は、固定接続され、2つの曲面板6の上部は、それぞれ取り付けケース7aの側壁と嵌合する。電動プッシュロッド7eの上端部に取り付けケース7aの内上部に固定され、電動プッシュロッド7eの下端は、2つの傾斜接続ロッド7dの一端部と嵌合し、2つの傾斜ロッド7dの他端部は、それぞれ相応する2つの曲面板6に固定されるソケット6aと嵌合する。使用時、ヘルスケアスタッフは、電動プッシュロッド7eの上下移動を利用し、2つの曲面板を開閉することができる。
【００２１】
本実施方式を具体的に使用する時、先ず、車ボディ4を病床又はその他の医療設備上方まで移動し、車ボディ4が長方体状であるので、支持脚2の上端は、車ボディ4の周辺に接続でき、従って、車ボディ4を病床又はその他の病人が横たわっている位置（例えば、CT又はX線等が終わったばかり）上方まで移動すことができる。その後、昇降装置3を利用し、2つの曲面板6を適当な高さに位置させ、2つの曲面板6を外向きに開き、更に、昇降装置3を利用し、2つの曲面板6を下向きに適当な位置まで移動させ、2つの曲面板6を閉鎖後、曲面板6の両先端がちょうど病人の背部下方に位置させる。その後、昇降装置3を再利用し、病人を支える2つの曲面板6を上向きに持ち上げ、ヘルスケアスタッフは、シーツ交換することができ、又は病人を必要な個所まで移動させることができる。
【００２２】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２３】
1 多方向ホイール
2 支持脚
3 昇降装置
4 車ボディ
5 バッテリ
6 曲面板
6a ソケット
7 開閉装置
7a 取り付けケース
7b エアスプリング
7c 垂直ロッド
7d 傾斜ロッド
7e 電動プッシュロッド
【図１】
2012514507.tif 000003
【図２】
2012514507.tif 000004
【図３】
2012514507.tif 000005
【図４】
2012514507.tif 000006
【図５】
2012514507.tif 000007
【図６】
2012514507.tif 000008
【図７】
2012514507.tif 000009
【国際調査報告】
2012514507.tif 000010
2012514507.tif 000011
2012514507.tif 000012
2012514507.tif 000013
2012514507.tif 000014
2012514507.tif 000015